(57)【要約】【課題】   便器本体とその側面部を覆い隠すためのサイドカバー体との間の横左右のクリアランス（隙間）の設定にともなう不具合を解消し、両者の間の隙間を極力小さくして外観意匠性を良好にサイドカバー体を取付ける。【解決手段】サイドカバー体３の裏面に配設された長さ方向が水平の棒状係合部３４が、便器本体１側面部に配設された前方および両側端が開放された係止部１４の前方開放部１４Ａより押し込まれて、便器本体１に対してサイドカバー体３が水平左右方向の配設位置の調整が可能に嵌合されるようにする。【選択図】  図１
2006328725.tif 000002
【特許請求の範囲】
【請求項１】
便器本体側面部を覆い隠すサイドカバー体の取付け構造であって、サイドカバー体の裏面に配設された長さ方向が水平の棒状係合部が便器本体側面部に配設された前方および両側端が開放された係止部の前方開放部より押し込まれて、便器本体に対してサイドカバー体が水平左右方向の配設位置の調整が可能に嵌合されることを特徴とする便器ガイドカバー体の取付け構造。
【請求項２】
請求項１の取付け構造において、サイドカバー体の裏面には、その上方に屈曲端を有する突起状係合部が下方の棒状係合部とともに配設されており、便器本体側面部の上方に配設された貫通孔もしくは溝部を有する引掛け係止部の貫通穴にサイドカバー体裏面の突起状係合部が挿入されて引掛けられ、サイドカバー体裏面の棒状係合部が便器本体側面部の係止部に前方開放部より押し込まれて嵌合されることを特徴とする便器サイドカバー体の取付け構造。
【請求項３】
請求項１または２の取付け構造において、便器本体側面部の係止部は、その背部の突起の便器本体側面部に配置された高さ位置の異なる複数の開孔もしくは溝部のいずれかへの挿入により固定されて、サイドカバー体裏面の棒状係合部が嵌合されることを特徴とする便器サイドカバー体の取付け構造。
【発明の詳細な説明】
【技術分野】
【０００１】
本発明は、便器本体側面部を覆い隠すためのサイドカバー体の便器本体への取付け構造に関するものである。
【背景技術】
【０００２】
便器本体に対しての便座やコンセントボックス、コネクター等の取付け構造については従来より様々な工夫、改良が行われてきている（たとえば特許文献１−４）。
【０００３】
また、便器本体の側面はトラップ等の形状によって外観上の見栄えが好ましくないことがあり、このため、意匠性を重視する観点から、たとえば図３に示したように便器本体１に便座や便蓋２等を備えた便器において、見栄えの良くない便器本体１の側面部を覆い隠すためのサイドカバー体３を設けることが考慮されている。そしてその際のサイドカバー体３の取付け方法としては、図４に示したように、サイドカバー体３の裏面には屈曲端を有する突起状係合部３１と長さ方向が垂直の棒状係合部３２とを設け、突起状係合部３１を便器本体側面部の引掛け係止部１１に引掛け、次いで棒状係合部３２を、便器本体側面部に設けた前方および上下端開放の係止部１２に前方より押込んでパッチンと嵌合させることが考えられている。
【特許文献１】実開平５−６８３９６号公報
【特許文献２】特開２００３−９３２７２号公報
【特許文献３】特開平７−３３５３４７号公報
【特許文献４】特開２００２−１５８４６０号公報
【発明の開示】
【発明が解決しようとする課題】
【０００４】
しかしながら、上記のようなサイドカバー体の取付け方法とその構造においては、サイドカバー体３裏面の棒状係合部３２が便器本体１側面部の係止部１２に嵌合されて取付位置が固定されるため、便器本体１の寸法の実際上のばらつきを考慮すると、図５のように、便器本体１とサイドカバー体３との横左右方向の間には十分なクリアランス（隙間）Ｗを設けておくことが必要になるという問題がある。このクリアランスは、外観上あまり好ましくなく、便器の意匠性を損うことになる。
【０００５】
そこで、本発明は、以上のような便器本体とサイドカバー体との間の横左右のクリアランス（隙間）の設定にともなう不具合を解消し、両者の間の隙間を極力小さくして外観意匠性を良好とすることのできる、サイドカバー体の簡便な取付け構造を提供することを課題としている。
【課題を解決するための手段】
【０００６】
本発明の便器本体側面部へのサイドカバー体の取付け構造は、上記の課題を解決するものとして以下のことを特徴としている。
【０００７】
第１：便器本体側面部を覆い隠すサイドカバー体の取付け構造であって、サイドカバー体の裏面に配設された長さ方向が水平の棒状係合部が便器本体側面部に配設された前方および両側端が開放された係止部の前方開放部より押し込まれて、便器本体に対してサイドカバー体が水平左右方向の配設位置の調整が可能に嵌合される。
【０００８】
第２：上記取付け構造において、サイドカバー体の裏面には、その上方に屈曲端を有する突起状係合部が下方の棒状係合部とともに配設されており、便器本体側面部の上方に配設された貫通孔もしくは溝部を有する引掛け係止部の貫通穴にサイドカバー体裏面の突起状係合部が挿入されて引掛けられ、サイドカバー体裏面の棒状係合部が便器本体側面部の係止部に前方開放部より押し込まれて嵌合される。
【０００９】
第３：上記の取付け構造において、便器本体側面部の係止部は、その背部の突起の便器本体側面部に配置された高さ位置の異なる複数の開孔もしくは溝部のいずれかへの挿入により固定されて、サイドカバー体裏面の棒状係合部が嵌合される。
【発明の効果】
【００１０】
上記のとおりの第１の発明によれば、サイドカバー体裏面の長さ方向が水平の棒状係合部と便器本体側面部の前方および両側端開放の係止部での嵌合では、横左右方向への嵌合位置変更が可能であることから、便器本体の寸法のばらつきを吸収しつつ、便器本体側面部における便器本体とサイドカバー体との間の隙間を極力小さなものとすることができ、これによって便器の外観性、意匠性をより良好なものとすることができる。
【００１１】
また、第２の発明によれば、上記の効果に加えて、まず、サイドカバー体の裏面上方の突起状係合部を便器本体側面部の引掛け係止部に引掛けておいて、次いで棒状係合部を嵌合できるので、取付け操作は簡便で容易なものとなる。
【００１２】
さらに第３の発明によれば、便器本体側面部の前方および両側端開放の係止部は高さ位置が調整可能とされているため、便器本体の高さ公差のばらつきを吸収することができサイドカバー体の確実な取付けが可能となる。
【発明を実施するための最良の形態】
【００１３】
本発明は上記のとおりの特徴をもつものであるが、以下にその実施の形態について説明する。
【００１４】
図１は本発明の一つの実施形態を例示したものであって、便器本体１側面部を覆い隠すサイドカバー体３の裏面に配設された長さ方向が水平の棒状係合部３４が、便器本体１側面部に配設された前方および両側端が開放された係止部１４の前方開放部１４Ａより押し込まれて、便器本体１に対してサイドカバー体３が水平左右方向の配設位置の調整が可能に嵌合されるようにしている。
【００１５】
また、サイドカバー体３の裏面には、その上方に屈曲端を有する突起状係合部３３が下方の棒状係合部３４とともに配設されており、便器本体１側面部の上方に配設された貫通孔を有する引掛け係止部１３の貫通穴にサイドカバー体３裏面の突起状係合部３３が挿入されて引掛けられ、次いでサイドカバー体裏面の棒状係合部３４が便器本体側面部の係止部に前方開放部より押し込まれて嵌合されるようにしている。
【００１６】
貫通孔を有する引掛け係止部は、サイドカバー体３裏面の突起状係合部３３が引掛けられればよく、また、棒状係合部３４による嵌合が横左右方向の位置変更可能となるように、引掛け係止部１３の貫通孔の幅は突起状係合部３３の幅よりも大きく遊び寸法のある大きさとしておく。
【００１７】
このような図１の実施形態では、横左右方向への嵌合位置変更が可能であることから、便器本体の寸法のばらつきを吸収しつつ、便器本体側面部における便器本体とサイドカバー体との間の隙間を極力小さなものとすることができ、これによって便器の外観性、意匠性をより良好なものとすることができる。
【００１８】
また、上記の効果に加えて、まず、サイドカバー体裏面上方の突起状係合部を便器本体側面部の引掛け係止部に引掛けておいて、次いで棒状係合部を嵌合できるので、取付け操作は簡便で容易なものとなる。
【００１９】
なお、サイドカバー体３の上方の突起状係合部３３による便器本体１の引掛け係止部１３との引掛け係止の構造を採用しているが、これを採用することなしに、サイドカバー体３の棒状係合部３４と、便器本体１側面部の前方および両側端開放の係止部１４との嵌合を複数箇所設けるようにしてもよい。さらにまた、上記の引掛け係止の構造を採用する場合でも、図１のように複数箇所としてもよいし、単一の箇所でもよく、棒状係合部３４と係止部１４との嵌合部と上下位置が逆であってもよい。
【００２０】
便器本体１の形状によっては、上記の引掛け係止部１３は、引掛けが可能であれば貫通孔ではなく溝部を有していてもよい。
【００２１】
上記の棒状係合部３４は、図１のように円柱状の外形、あるいはその他の多角形等であってもよく、その長さは、横左右方向での嵌合位置調整ができるだけの範囲であればよい。この棒状係合部３４の形状と大きさに対して、前方開放部１４Ａよりパッチン嵌合が可能なように便器本体１側面部の係止部１４が構成されることになる。
【００２２】
棒状係合部３４、これに対応する係止部１４、さらには突起状係合部３３、これに対応する引掛け係止部１３は、いずれも各種の材料、たとえば、金属、樹脂、セラミックス、またはこれらの１種以上の複合体として形成することができる。サイドカバー体３についても同様である。便器本体１との素材感、色調をバランスさせることが考慮される。
【００２３】
ただ、以上の実施の形態において、便器本体の高さ方向の寸法のばらつきによっては、上記の棒状係合部３４と便器本体の係止部１４とがかみ合わないケースが起こり得る。このような場合を想定すると、たとえば図２（Ａ）（Ｂ）に例示したように、便器本体１側面部の係止部１４は、その背部の突起の便器本体１側面部に配置された高さ位置の異なる複数の開孔１５もしくは溝部のいずれかへの挿入により固定されるようにすることも好適に考慮される。高さ位置がたとえば図２のＨ１、Ｈ２、Ｈ３のように異なる開孔１５の位置への係止部１４の配置が可能になる。
【００２４】
これによって、便器本体１の高さ公差のばらつきを吸収することができ、便器本体１へのサイドカバー体３の確実な取付けが可能になる。
【００２５】
もちろん以上の例によって本発明が限定されることはなく、その細部の構成において様々な形態が可能であることは言うまでもない。
【図面の簡単な説明】
【００２６】
【図１】一実施形態について例示した要部分解斜視図である。
【図２】Ａ，Ｂ各々、高さ位置調整可能な例を示した斜視図である。
【図３】サイドカバー体を配設した便器の外観を示した斜視図である。
【図４】横左右方向の位置が固定される取付け構造を示した要部斜視図である。
【図５】便器本体とサイドカバー体との間のクリアランス（隙間）Ｗを示した便器の側面図である。
【符号の説明】
【００２７】
１  便器本体
１１  引掛け係止部
１２  係止部
１３  引掛け係止部
１４  係止部
１４Ａ  前方開放部
１５  開孔
２  便蓋
３  サイドカバー体
３１  突起状係合部
３２  棒状係合部
３３  突起状係合部
３４  棒状係合部
【図１】
2006328725.tif 000003
【図２】
2006328725.tif 000004
【図３】
2006328725.tif 000005
【図４】
2006328725.tif 000006
【図５】
2006328725.tif 000007